(57)【要約】【課題】  給紙装置の左右のトレイにまたがってＡ３サイズやレジャーサイズ等の大きなサイズの用紙が積載された場合でも右トレイと左トレイの別々で残量表示を行っているため、ユーザは大きなサイズの用紙が積載されているかどうかを識別できない。【解決手段】  それぞれが所定サイズの用紙を積載可能な第１と第２の積載部のそれぞれの用紙の有無を、第１及び第２の検知部により検知する。また所定サイズよりも大きいサイズの用紙が第１と第２の積載部にまたがって積載されているか否かを判別し、大きいサイズの用紙が積載されていると判別した場合は、第１及び第２の検知部のいずれかの検知に基づいて用紙残量を表示し、大きいサイズの用紙が積載されていないと判別した場合は、第１及び第２の検知部のそれぞれの検知に基づいて用紙残量を表示する。【選択図】  図９
2015093742.tif 000002
【特許請求の範囲】
【請求項１】
それぞれが所定サイズの用紙を積載可能な第１と第２の積載手段と、
前記第１及び第２の積載手段のそれぞれの用紙の有無を検知する第１及び第２の検知手段と、
前記所定サイズよりも大きいサイズの用紙が前記第１と第２の積載手段にまたがって積載されているか否かを判別する判別手段と、
前記判別手段が前記大きいサイズの用紙が積載されていると判別した場合は、前記第１及び第２の検知手段のいずれかの検知に基づいて用紙残量を表示し、前記判別手段が前記大きいサイズの用紙が積載されていないと判別した場合は、前記第１及び第２の検知手段のそれぞれの検知に基づいて用紙残量を表示するように制御する制御手段と、
を有することを特徴とする給紙装置。
【請求項２】
前記制御手段は、前記判別手段が前記大きいサイズの用紙が積載されていると判別した場合と、前記判別手段が前記大きいサイズの用紙が積載されていないと判別した場合とで、アイコンを変更して表示することを特徴とする請求項１に記載の給紙装置。
【請求項３】
前記制御手段は、前記判別手段が前記大きいサイズの用紙が積載されていると判別した場合、前記所定サイズ以上の用紙を表す図形を使用して用紙残量を表示し、
前記判別手段が前記大きいサイズの用紙が積載されていないと判別した場合、前記所定サイズの用紙を表す図形を使用して用紙残量を表示するように制御することを特徴とする請求項１又は２に記載の給紙装置。
【請求項４】
それぞれが所定サイズの用紙を積載可能な第１と第２の積載手段と、
前記第１及び第２の積載手段のそれぞれの用紙の有無を検知する第１及び第２の検知手段と、
前記所定サイズよりも大きいサイズの用紙が前記第１と第２の積載手段にまたがって積載されているか否かを判別する判別手段と、
前記判別手段が前記大きいサイズの用紙が積載されていると判別した場合は、前記第１及び第２の検知手段のいずれかの検知に基づいて用紙残量を表示し、前記判別手段が前記大きいサイズの用紙が積載されていないと判別した場合は、前記第１及び第２の検知手段のそれぞれの検知に基づいて用紙残量を表示するように制御する制御手段と、
前記第１の積載手段から給紙された用紙に画像を形成する画像形成手段と、
を有することを特徴とする画像形成装置。
【請求項５】
前記制御手段は、前記判別手段が前記大きいサイズの用紙が積載されていると判別した場合と、前記判別手段が前記大きいサイズの用紙が積載されていないと判別した場合とで、アイコンを変更して表示することを特徴とする請求項４に記載の画像形成装置。
【請求項６】
前記制御手段は、前記判別手段が前記大きいサイズの用紙が積載されていると判別した場合、前記所定サイズ以上の用紙を表す図形を使用して用紙残量を表示し、
前記判別手段が前記大きいサイズの用紙が積載されていないと判別した場合、前記所定サイズの用紙を表す図形を使用して用紙残量を表示するように制御することを特徴とする請求項４又は５に記載の画像形成装置。
【請求項７】
前記用紙が前記所定サイズの用紙のときに、前記第１の積載手段の用紙がなくなると前記第２の積載手段に積載されている用紙を前記第１の積載手段に移送する移送手段を更に有することを特徴とする請求項４乃至６のいずれか１項に記載の画像形成装置。
【請求項８】
前記第１と第２の積載手段に積載する用紙のサイズを、ユーザの操作により指定する指定手段を更に有し、
前記判別手段は、前記指定手段により指定された用紙のサイズに基づいて、前記第１と第２の積載手段にまたがって用紙が積載されているか否かを判別することを特徴とする請求項４乃至７のいずれか１項に記載の画像形成装置。
【請求項９】
それぞれが所定サイズの用紙を積載可能な第１と第２の積載手段と、前記第１及び第２の積載手段のそれぞれの用紙の有無を検知する第１及び第２の検知手段とを有する給紙装置を制御する制御方法であって、
前記給紙装置の判別手段が、前記所定サイズよりも大きいサイズの用紙が前記第１と第２の積載手段にまたがって積載されているか否かを判別する判別工程と、
前記給紙装置の制御手段が、前記判別手段が前記大きいサイズの用紙が積載されていると判別した場合は、前記第１及び第２の検知手段のいずれかの検知に基づいて用紙残量を表示し、前記判別手段が前記大きいサイズの用紙が積載されていないと判別した場合は、前記第１及び第２の検知手段のそれぞれの検知に基づいて用紙残量を表示するように制御する制御工程と、
を有することを特徴とする給紙装置の制御方法。
【請求項１０】
それぞれが所定サイズの用紙を積載可能な第１と第２の積載手段と、前記第１及び第２の積載手段のそれぞれの用紙の有無を検知する第１及び第２の検知手段とを有する画像形成装置を制御する制御方法であって、
前記画像形成装置の判別手段が、前記所定サイズよりも大きいサイズの用紙が前記第１と第２の積載手段にまたがって積載されているか否かを判別する判別工程と、
前記画像形成装置の制御手段が、前記判別手段が前記大きいサイズの用紙が積載されていると判別した場合は、前記第１及び第２の検知手段のいずれかの検知に基づいて用紙残量を表示し、前記判別手段が前記大きいサイズの用紙が積載されていないと判別した場合は、前記第１及び第２の検知手段のそれぞれの検知に基づいて用紙残量を表示するように制御する制御工程と、
前記画像形成装置の画像形成手段が、前記第１の積載手段から給紙された用紙に画像を形成する画像形成工程と、
を有することを特徴とする画像形成装置の制御方法。
【請求項１１】
コンピュータに、請求項９又は１０に記載の制御方法を実行させるためのプログラム。
【発明の詳細な説明】
【技術分野】
【０００１】
本発明は、給紙装置、画像形成装置、及びその制御方法とプログラムに関するものである。
【背景技術】
【０００２】
用紙に画像を形成する画像形成装置は、技術の進歩により高速化が図られ、画像形成装置が給紙する用紙を積載する給紙装置にも、大容量の用紙を積載する機構や、印刷中に用紙を補給できる機構が求められている。
【０００３】
このような大容量の給紙装置に関する技術として、例えば特許文献１に記載されるものがある。特許文献１の給紙装置では、二つの用紙積載部を並列に配置し、第一用紙積載部の用紙が無くなった場合に自動的に第二用紙積載部に収容されている用紙を第一用紙積載部に移送する。こうして連続的に用紙を給紙することで、通常の給紙トレイの２倍の用紙を積載できる給紙装置が記載されている。この従来の給紙装置に関して、図１０を参照して説明をする。
【０００４】
図１０は、従来の給紙装置の概略構成を示す断面図である。右トレイ１００１に積載されている用紙Ｐを給ローラの回転により一枚ずつ画像形成部１００４に給紙する。右トレイ１００１の底板１００６上に積載されている用紙Ｐがなくなると、底板１００６を下限位置まで下降させ、下限位置への到達を検知した後、移送フェンス１００９により左トレイ１００２上の用紙Ｐを右トレイ１００１へ移送する。こうして用紙Ｐの移送が終了すると、底板１００６を上昇させて右トレイ１００１からの給紙を再開する。
【０００５】
また特許文献２には、左右のトレイにまたがってＡ３等の大きいサイズの用紙が積載された場合に、左右のトレイを同時に上昇させることによって、大きいサイズの用紙を給紙できる給紙装置が記載されている。
【先行技術文献】
【特許文献】
【０００６】
【特許文献１】特開平１１−２４６０５８号公報
【特許文献２】特開平１１−２４０６３０号公報
【発明の概要】
【発明が解決しようとする課題】
【０００７】
しかしながら、上記従来の画像形成装置では、給紙装置の左右のトレイにまたがってＡ３サイズやレジャーサイズ等の大きなサイズの用紙が積載された場合でも右トレイと左トレイの別々で残量表示を行っている。このため、この残量表示からは、ユーザは大きなサイズの用紙が積載されているかどうかを識別できず、小さいサイズの用紙が積載されていると誤認する可能性があった。また用紙の残量表示に関しても、正確に用紙の残量を通知できないという問題があった。
【０００８】
本発明の目的は、上記従来技術の問題点を解決することにある。
【０００９】
本発明の特徴は、収容している用紙の状態をユーザが正確に認識できる技術を提供することにある。
【課題を解決するための手段】
【００１０】
上記目的を達成するために本発明の一態様に係る給紙装置は以下のような構成を備える。即ち、
それぞれが所定サイズの用紙を積載可能な第１と第２の積載手段と、
前記第１及び第２の積載手段のそれぞれの用紙の有無を検知する第１及び第２の検知手段と、
前記所定サイズよりも大きいサイズの用紙が前記第１と第２の積載手段にまたがって積載されているか否かを判別する判別手段と、
前記判別手段が前記大きいサイズの用紙が積載されていると判別した場合は、前記第１及び第２の検知手段のいずれかの検知に基づいて用紙残量を表示し、前記判別手段が前記大きいサイズの用紙が積載されていないと判別した場合は、前記第１及び第２の検知手段のそれぞれの検知に基づいて用紙残量を表示するように制御する制御手段と、を有することを特徴とする。
【発明の効果】
【００１１】
本発明によれば、２つの積載部に所定サイズの用紙が積載されている場合と、所定サイズの用紙が積載されている場合とで用紙の残量表示の形態を変更することにより、用紙の状態をユーザが正確に把握できるという効果がある。
【図面の簡単な説明】
【００１２】
【図１】本発明の実施形態に係る画像形成装置の構成を示すブロック図。
【図２】実施形態に係る画像形成装置の内部構造を示す構成図。
【図３】実施形態に係るオプション給紙ユニットの構成を示す図。
【図４】実施形態に係るオプション給紙ユニットで、右トレイが紙無し状態になり、左トレイに置かれた用紙Ｓ−２を右トレイに移動させた状態を示す図。
【図５】実施形態に係るオプション給紙ユニットで大きいサイズの用紙Ｓ−３が右トレイと左トレイにまたがって置かれた状態を示す図。
【図６】実施形態に係る画像形成装置の操作部の上面図。
【図７】操作部に表示される画面例を示す図で、（Ａ）はユーザモード設定画面、（Ｂ）は、用紙サイズ設定画面、（Ｃ）は用紙サイズ指定画面を示す。
【図８】実施形態に係る画像形成装置の操作部の用紙情報キーが押下された時に表示される用紙情報画面の一例を示す図（Ａ）と、オプション給紙カセットの用紙残量を示すアイコンの表示形態を説明する図（Ｂ）。
【図９】実施形態に係る画像形成装置で、用紙情報キーが押下されたときのオプション給紙カセットの用紙残量を示すアイコンを表示するための制御を説明するフローチャート。
【図１０】従来の給紙装置の概略構成を示す断面図。
【発明を実施するための形態】
【００１３】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１４】
図１は、本発明の実施形態に係る画像形成装置の構成を示すブロック図である。
【００１５】
リーダ部１０１は、原稿の画像を光学的に読み取って、その画像データを出力する。リーダ部１０１は、原稿を読み取るスキャナユニット１１１と、スキャナユニット１１１に原稿を搬送する原稿給紙ユニット（ＤＦユニット）１１２を有している。
【００１６】
プリンタ部１０２は用紙（シート）を搬送し、その上に画像データを可視画像として印刷して装置外に排紙する。プリンタ部１０２は、複数種類の用紙カセットを持つ給紙ユニット１２２と、画像データを用紙に転写して定着させるマーキングユニット１２１を有している。更には、実施形態に係る給紙装置として、印刷済の用紙を機外へ排出する排紙ユニット１２３、大容量の用紙を積載可能な用紙デッキを持つオプション給紙ユニット１２４を有している。
【００１７】
制御部１０３は、ＣＰＵ１３１，画像メモリ１３２、不揮発メモリ１３４、ＲＡＭ１３５、ＲＯＭ１３６、操作部１０４を有している。制御部１０３は、リーダ部１０１、プリンタ部１０２と電気的に接続されている。そして、制御部１０３のＣＰＵ１３１はリーダ部１０１を制御して、原稿の画像データを画像メモリ１３２に書き込み、プリンタ部１０２を制御して画像メモリ１３２の画像データを用紙に印刷するコピー機能を提供する。更に不揮発メモリ１３４には各種調整値が格納されている。ＲＡＭ１３５はＣＰＵ１３１のワーク領域として使用され、ＲＯＭ１３６はＣＰＵ１３１の制御プログラムを格納している。
【００１８】
操作部１０４は、表示部と表示部上に張り付けられたタッチパネル入力部と、複数個のハードキーを有する。タッチパネル又はハードキーにより入力された信号はＣＰＵ１３１に伝えられ、表示部は、この画像形成装置の機能や画像データ等を表示する。
【００１９】
図２は、実施形態に係る画像形成装置の内部構造を示す構成図である。上述したように、この画像形成装置は、リーダ部１０１、プリンタ部１０２、排紙ユニット１２３、オプション給紙ユニット１２４を備えている。
【００２０】
まずリーダ部１０１の構成及び動作について説明する。
【００２１】
原稿給送ユニット１１１の原稿給紙トレイ２０５に載置された原稿Ｄは、分離ローラ２０１によって１枚ずつ分離され、搬送ローラ２０２によってプラテンガラス２１１上に搬送される。プラテンガラス２１１上を通過した原稿Ｄは、排紙ローラ２０３の回転によって排紙トレイ２０４に排紙される。
【００２２】
プラテンガラス２１１上を通過する原稿Ｄは光源２１２により照射され、その原稿で反射した光は、レンズ系２１３を介してＣＣＤイメージセンサ２１４で画像データとして読み取られる。ＣＣＤイメージセンサ２１４で読み取られた画像データは、一旦、制御部１０３に転送されて画像メモリ１３２に保存される。
【００２３】
次に、プリンタ部１０２の構成及び動作について説明する。
【００２４】
画像形成部２２０では、画像メモリ１３２に保存された画像データがレーザ出力部２２１に送られ、画像データに基づいたレーザ光がレーザ出力部２２１から出力される。出力されたレーザ光は、結像レンズ系２２２を通過し、ミラー２２３で反射されて感光体２２４上に集光結像する。感光ドラム２２４は、予め一次帯電器２２５によって帯電されており、光が照射されることによって静電潜像が形成され、次に現像器２２６によって静電潜像を現像してトナー像が形成される。
【００２５】
給紙ユニット１２２やオプション給紙ユニット１２４は、手差し２３７、給紙カセット２３２，２３３、給紙デッキ（右トレイ）２４１に記録紙Ｓや記録紙Ｓ−１を積載する。尚、２４２は左トレイ、２４３は移動トレイである。これらは図３を参照して後述する。
【００２６】
記録紙Ｓや記録紙Ｓ−１は、各給紙ローラ２３４，２３５，２３８，２４４及び搬送ローラ２３６によってレジストローラ２３１まで搬送され、レジストローラ２３１で斜行が補正される。そして更に、像形成処理とのタイミングが合わされて画像形成部２２０へ送られる。画像形成部２２０では、感光体２２４のトナー像を、送られてきた記録紙Ｓに帯電器２３７によって転写する。こうしてトナー像が転写された記録紙Ｓは、分離帯電器２３８によって感光体２２４から分離される。分離された記録紙Ｓは、搬送ユニット２３９により定着部２５０に搬送されて、定着部２５０で熱と圧力により、記録紙Ｓにトナー画像が定着される。こうして画像が定着された記録紙Ｓは、排紙ローラ２５１の回転によって排紙ユニット（後処理部）１２３に搬送される。
【００２７】
排紙ユニット１２３に搬送された記録紙Ｓは、搬送ローラ２６１，２６２の回転によって処理トレイ２６３に搬送される。処理トレイ２６３に順次搬送された記録紙Ｓは、整合部材２６４によって記録紙束に整合される。こうして整合された記録紙束は、ユーザからの指定に従い、必要に応じて不図示のステイプルユニットによってステイプル処理される。そして、束排出ローラ２６５によって積載トレイ２６６に排出される。このようにして、原稿Ｄの複写紙が１部出来上がり、この動作をユーザが所望する部数になるまで繰り返す。
【００２８】
次に、図３〜図５を参照して、実施形態に係るオプション給紙ユニット１２４の構成及び動作について説明する。
【００２９】
図３は、実施形態に係るオプション給紙ユニット１２４の構成を示す図である。
【００３０】
図３では、Ａ４サイズやレターサイズなどの小さいサイズの記録紙Ｓ−１，Ｓ−２が右トレイ２４１と左トレイ２４２に置かれた状態を示す。右トレイ２４１には、ワイヤロープ３０９ａ，３０９ｂが固定され、ワイヤプーリ３０５ａ，３０５ｂを経由して巻取り軸３０７に接続されている。巻取り軸３０７でワイヤロープ３０９ａ，３０９ｂを巻き取ることにより右トレイ２４１が上昇し、またワイヤロープ３０９ａ，３０９ｂを引き出すことで右トレイ２４１が下降する。右トレイ２４１と同様に、左トレイ２４２には、ワイヤロープ３１０ａ，３１０ｂが固定され、ワイヤプーリ３０６ａ，３０６ｂを経由して巻取り軸３０８に接続されている。巻取り軸３０８でワイヤロープ３１０ａ，３１０ｂを巻き取ることにより左トレイ２４２が上昇し、またワイヤロープ３１０ａ，３１０ｂを引き出すことで左トレイ２４２が下降する。尚、右トレイ２４１、左トレイ２４２には、各トレイ上の用紙の有無を検知する用紙センサ３１４，３１５が取りつけられており、記録紙Ｓ−１，Ｓ−２の重みが無くなったことを検知すると、紙無し信号を制御部１０３のＣＰＵ１３１に送信する。
【００３１】
図４は、実施形態に係るオプション給紙ユニット１２４で、右トレイ２４１が紙無し状態になり、左トレイ２４２に置かれたＡ４サイズやレターサイズなど小サイズの用紙Ｓ−２を右トレイ２４１に移送した状態を示す図である。尚、図３と共通する部分は同じ記号で示し、それらの説明を省略する。
【００３２】
移動トレイ２４３には、ワイヤロープ３１３ａが固定され、ワイヤプーリ３１１ａと巻き取り塾３１２を経由して再び移動トレイ２４３に接続されている。巻取り軸３１２でワイヤロープ３１３ａを移動させることにより、移動トレイ２４３が右方向や左方向に移動する。
【００３３】
図５は、実施形態に係るオプション給紙ユニット１２４でＡ３サイズやレジャーサイズ等の大きいサイズの用紙Ｓ−３が右トレイ２４１と左トレイ２４２にまたがって置かれた状態を示す図である。尚、図３と共通する部分は同じ記号で示し、それらの説明を省略する。
【００３４】
巻取り軸３０７，３０８を同時に回転させることで、右トレイ２４１と左トレイ２４２を同じ高さで上昇させたり、下降させたりすることが可能となっている。
【００３５】
図６は、実施形態に係る画像形成装置の操作部１０４の上面図である。
【００３６】
表示部６００はタッチパネル機能を有し、主なモード設定、状況表示の画面はここに表示される。テンキー６０１は、０〜９までの数値を入力するのに使用される。ＩＤキー６０２は、例えば、この画像形成装置が各部門で管理されている場合に、その部門番号と暗証モードを入力する際に使用される。リセットキー６０３は、設定されたモードをリセットするためのキーである。ガイドキー６０４は、各モードでの説明画面を表示させるためのキーである。ユーザモードキー６０５はユーザモード画面に入るためのキーであり、このユーザモードキー６０５を押下することにより、ユーザは後述する用紙サイズの設定を行うことができる。割り込みキー６０６は、割り込みコピーを指示するキーである。スタートキー６０７は、コピー等の動作を開始させるためキー、ストップキー６０８は、実行中のコピージョブ等のジョブを中止させるためのキーである。ソフト電源ＳＷ６０９が押下されると、表示部６００のバックライトが消えて、装置は省電力状態に移行する。節電キー６１０が押下されると、節電状態に移行し、再度押下されると節電状態から復帰する。
【００３７】
画面コントラストキー６１４は、表示部６００のコントラストを調整するためのキーである。カウンタ確認キー６１５が押下されると、それまでに使用したコピー枚数の集計を表示するカウント画面が表示部６００に表示される。ＬＥＤ６１６は、ジョブの実行中、画像メモリ１３２に画像データを蓄積しているときに点灯する。エラーＬＥＤ６１７は、ジャム、ドアオープン等で装置がエラー状態にあるときに点灯する。電源ＬＥＤ６１８は、装置のメインスイッチがＯＮになっているときに点灯する。ユーザが用紙情報キー６１９をタッチすると、表示部６００に用紙サイズや種類、残量が表示される。
【００３８】
次に図７を参照して、オプション給紙ユニット１２４に積載する用紙サイズの設定方法について説明する。
【００３９】
ユーザが、操作部１０４のユーザモードキー６０５を押下すると、図７（Ａ）に示すユーザモード設定画面が表示部６００に表示される。用紙サイズ設定ボタン７０１は、ユーザが用紙サイズを設定するボタンである。戻るボタン７０２は、このユーザモード設定画面に移行する前の画面を表示部６００に表示させるキーである。
【００４０】
図７（Ｂ）は、図７（Ａ）の画面で用紙サイズ設定ボタン７０１が押下されたときに表示される用紙サイズ設定画面の一例を示す図である。
【００４１】
この用紙サイズ設定画面には、オプション給紙ユニットボタン７０４が表示されており、ユーザがこのボタン７０４を押下すると図７（Ｃ）に示す用紙サイズ指定画面が表示される。ユーザは、この用紙サイズ指定画面からオプション給紙カセット１２４の用紙サイズを設定することができる。戻るボタン７０５は、図７（Ａ）のユーザモード設定画面に戻すためのボタンである。
【００４２】
図７（Ｃ）に示すオプション給紙カセット１２４の用紙サイズの指定画面において、ボタン７０７〜７１２のいずれかを押下することで、オプション給紙カセット１２４に積載する用紙サイズを指定できる。こうして指定された用紙サイズは、不揮発メモリ１３４の用紙サイズ保存領域（図示しない）に保存される。戻るボタン７１３は、図７（Ｂ）の用紙サイズ設定画面に戻すボタンである。
【００４３】
図７（Ｃ）において、ボタン７０７はＡ４サイズ、ボタン７０８はレターサイズ、ボタン７０９はＢ５サイズ、ボタン７１０はＡ３サイズ、ボタン７１１はレジャーサイズ、ボタン７１２はリーガルサイズをそれぞれ指定できる。
【００４４】
このように、図７（Ａ）〜（Ｃ）に示す操作画面から、ユーザが、オプション給紙カセット１２４に積載する用紙サイズを予め指定しておくことにより、画像形成装置はオプション給紙カセット１２４の用紙サイズを判別することができる。
【００４５】
次に、図８を参照して、各給紙口の用紙残量を表示方法について説明する。
【００４６】
図８（Ａ）は、実施形態に係る画像形成装置の操作部１０４の用紙情報キー６１９が押下された時に表示される用紙情報画面の一例を示す図である。
【００４７】
領域８０２は用紙情報を表示する領域で、８０３〜８０６は、用紙の残量を示すアイコンである。アイコン８０３は手差し２３７、アイコン８０４は給紙カセット２３２、アイコン８０５は給紙カセット２３３のそれぞれの用紙残量を示すアイコンであり、アイコン８０６は、オプション給紙カセット１２４の用紙残量を示すアイコンである。ＯＫボタン８０７は、この用紙情報画面を閉じるボタンである。
【００４８】
図８（Ａ）では、手差し２３７には用紙がない状態であり、給紙カセット２３３の厚紙の残量が、フル状態の約半分であることが分かる。またオプション給紙カセット１２４では、Ａ４サイズの用紙が、右トレイ２４１と左トレイ２４２のそれぞれに、ほぼ満杯に近い状態で積載されていることが分かる。
【００４９】
図８（Ｂ）は、オプション給紙カセット１２４の用紙残量を示すアイコン（図形）８０６の表示形態を説明する図である。
【００５０】
図８（Ｂ）において、８１１〜８１５は、オプション給紙カセット１２４の用紙残量を示すアイコン８０６の表示例を示す。アイコン８１１は、所定サイズ以下のサイズの用紙（例えば、図７（Ｃ）の用紙サイズ指定画面で、小さいサイズに対応するボタン７０７，７０８，７０９のいずれかが指定されている状態）の場合に相当する。そして右トレイ２４１、左トレイ２４２ともに用紙が積載されている状態を示す。
【００５１】
アイコン８１２は、所定サイズ以下のサイズの用紙が指定されている場合を示す。この場合は、右トレイ２４１に用紙が積載され、左トレイ２４２に用紙が積載されていない状態を示している。アイコン８１３は、所定サイズ以下のサイズの用紙が指定されている場合で、右トレイ２４１、左トレイ２４２ともに用紙が積載されていない状態を示す。
【００５２】
アイコン８１４は、所定サイズ以上のサイズの記録紙（例えば、図７（Ｃ）の用紙サイズ変更画面でボタン７１０，７１１，７１２のいずれかが指示されている状態）の場合に相当する。ここでは、右トレイ２４１、左トレイ２４２にまたがって用紙が積載されている状態を示している。アイコン８１５は、所定サイズ以上のサイズの用紙が指定されている場合で、右トレイ２４１、左トレイ２４２ともに用紙が積載されていない状態を示すアイコンである。
【００５３】
図９は、実施形態に係る画像形成装置で、用紙情報キー６１９が押下されたときの図８（Ａ）の用紙情報画面のオプション給紙カセット１２４の用紙残量を示すアイコン８０６を表示するための制御を説明するフローチャートである。このフローチャートで示す処理は、ＣＰＵ１３１がＲＯＭ１３６に記憶されているプログラムを実行することにより実現される。
【００５４】
ユーザが操作部１０４の用紙情報キー６１９を押下するとＳ９０１で、ＣＰＵ１３１は、不揮発メモリ１３４の用紙サイズ保存領域（図示しない）に保存されているオプション給紙カセット１２４に指定された用紙サイズを取得する。そしてＳ９０２に進みＣＰＵ１３１は、右トレイ２４１の用紙センサ３１４からの信号を取得してＳ９０３に進む。Ｓ９０３でＣＰＵ１３１は、Ｓ９０１で取得した用紙サイズが所定サイズ以上のラージサイズ（大きいサイズ）か否かを判定し、ラージサイズであればＳ９０４に移行し、ラージサイズでない場合はＳ９０７に移行する。Ｓ９０４でＣＰＵ１３１は、Ｓ９０２で取得した用紙センサ３１４からの信号が用紙無しを示していない場合はＳ９０５に移行し、用紙無しを示していればＳ９０６に移行する。Ｓ９０５でＣＰＵ１３１は、図８（Ｂ）に示すアイコン８１４をアイコン８０６の位置に表示する。一方、Ｓ９０６でＣＰＵ１３１は、図８（Ｂ）に示すアイコン８１５をアイコン８０６の位置に表示する。
【００５５】
こうしてアイコン８１４、８１５により、ユーザは、オプション給紙カセット１２４に大きいサイズの用紙が指定されていて、そのオプション給紙カセット１２４に用紙が有るか無いかを識別できる。
【００５６】
一方、用紙サイズがラージサイズでないときはＳ９０７でＣＰＵ１３１は、左トレイ２４２の用紙センサ３１５からの信号を取得してＳ９０８に移行する。Ｓ９０８でＣＰＵ１３１は、Ｓ９０２で取得した用紙センサ３１４の信号が用紙無しを示していないと判定するとＳ９０９に移行し、用紙無しを示していると判定するとＳ９１２に移行する。Ｓ９０９でＣＰＵ１３１は、Ｓ９０７で取得した用紙センサ３１５の信号の紙無しを示していない場合はＳ９１０に移行し、紙無しを示している場合はＳ９１１に移行する。Ｓ９１０でＣＰＵ１３１は、右トレイ１４１と左トレイ２４２が共に用紙が存在している状態であるため、図８（Ｂ）のアイコン８１１をアイコン８０６の位置に表示する。一方、Ｓ９１１でＣＰＵ１３１は、左トレイ２４２が用紙無しであるため、図８（Ｂ）のアイコン８１２をアイコン８０６の位置に表示する。
【００５７】
またＳ９１２でＣＰＵ１３１は、Ｓ９０７で取得した用紙センサ３１５の信号が用紙無しを示していない場合はＳ９１１に移行し、用紙無しを示している場合はＳ９１３に移行する。Ｓ９１３でＣＰＵ１３１は、右トレイ２４１と左トレイの両方が用紙無しであるため、図８（Ｂ）のアイコン８１３をアイコン８０６の位置に表示する。
【００５８】
以上説明したように本実施形態によれば、小さいサイズの用紙が積載されている場合は、左右のトレイの用紙残量を別々に表示し、大きいサイズの用紙が積載されている場合は左右のトレイで１つの残量を表示している。これによりユーザは、正確に給紙カセット内の用紙の状態を把握できる。
【００５９】
尚、実施形態では、用紙の残量表示を用紙無し、または、用紙有りの２つの状態で表示するようにしたが、用紙有の状態を段階的に示すようにアイコンを変更しても良い。
【００６０】
また本実施形態では、右トレイ２４１が用紙無しで、左トレイ２４２が用紙有りの場合アイコン８１２を表示するようにしたが、このときは左トレイ２４２の用紙を右トレイ２４１に移動中なので、用紙が移動中であることを示すアイコンを表示しても良い。
【００６１】
また、大きいサイズの用紙が指定されて場合に、左右のトレイ２４１，２４２の用紙センサ３１４，３１５の検出結果が互いに異なる場合は、例えば図５の状態で、左右のトレイ２４１，２４２の上昇位置が互いに異なっている可能性がある。また或いは、図７の画面を介したユーザによる用紙サイズの指定が間違っている可能性がある。
【００６２】
従って、このような場合は、ユーザに対して、左右のトレイ２４１，２４２の位置、或いは用紙サイズの設定の確認を促すメッセージなどを操作部１０４に表示するのが望ましい。
【００６３】
＜その他の実施形態＞
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００６４】
また、各フローチャートに基づく処理を実行するよう設計された制御回路がＣＰＵ１３１の代わりに用いられていてもよい。
【図１】
2015093742.tif 000003
【図２】
2015093742.tif 000004
【図３】
2015093742.tif 000005
【図４】
2015093742.tif 000006
【図５】
2015093742.tif 000007
【図６】
2015093742.tif 000008
【図７】
2015093742.tif 000009
【図８】
2015093742.tif 000010
【図９】
2015093742.tif 000011
【図１０】
2015093742.tif 000012